(57)【要約】      （修正有）【課題】口、鼻、目を保護することができるにも拘らず、装着時は暑苦しくないとともに息苦しくなく、装着時に髪の毛が乱れないフルフェースマスクを提供する。【解決手段】フルフェースマスク１は、顔表面を覆うとともに上側の端縁２ａが額に当接される前面部２と、前記前面部２の両端縁から後方側に延設されてこめかみを覆う側面部４と、前記側面部４の下端から延設されあご下を覆う下面部３とを備え、前記前面部２と前記側面部４と前記下面部３とが一体的に形成されたフルフェースマスク１であり、少なくとも前記前面部２は透明性を有する樹脂材料で形成されるとともに、前記フルフェースマスク１の下部にはフィルターで覆う開口部６を形成した。【選択図】図１
2013169346.tif 000002
【特許請求の範囲】
【請求項１】
顔表面を覆うとともに上側の端縁が額に当接される前面部と、前記前面部の両端縁から後方側に延設されてこめかみを覆う側面部と、前記側面部の下端から延設されあご下を覆う下面部とを備え、前記前面部と前記側面部と前記下面部とが一体的に形成されたフルフェースマスクであり、少なくとも前記前面部は透明性を有する樹脂材料で形成されるとともに、前記フルフェースマスクの下部にはフィルターで覆う開口部を形成したことを特徴とするフルフェースマスク。
【請求項２】
前記側面部の上部には、眼鏡のつるを覆うつる覆い部が後方に延設されている請求項１記載のフルフェースマスク。
【請求項３】
前記覆い部にはマスクのひもを係止する係止部が形成されている請求項２記載のフルフェースマスク。
【請求項４】
前記前面部の額に当接される額当接部は凹状に形成されている請求項１乃至請求項３のいずれか１項に記載のフルフェースマスク。
【請求項５】
前記フルフェースマスクの端縁には柔軟部を設けた請求項１乃至請求項４のいずれか１項に記載のフルフェースマスク。
【発明の詳細な説明】
【技術分野】
【０００１】
本発明は、顔面全体を覆うフルフェースマスクに関するものである。
【背景技術】
【０００２】
従来のマスクは、口、鼻のみを覆うもので、目は別の保護具を装着していた。また、口、鼻、目を覆う一体型のフルフェースマスクは頭から被るようになっており、装着時は暑苦しいとともに息苦しいという問題点があった。また、装着時に髪の毛が乱れるという問題点もあった。
【先行技術文献】
【特許文献】
【０００３】
【特許文献１】特開２００６−２５５３４３号公報
【特許文献２】特開２０００−３０３２４５号公報
【特許文献３】特開２０００−１７６０３２号公報
【発明の概要】
【発明が解決しようとする課題】
【０００４】
本発明は、上記問題点に鑑みてなされたものであり、口、鼻、目を保護することができるにも拘らず、装着時は暑苦しく無いとともに息苦しく無く、装着時に髪の毛が乱れないフルフェースマスクを提供することを目的とする。
【課題を解決するための手段】
【０００５】
本発明のフルフェースマスクは、顔表面を覆うとともに上側の端縁が額に当接される前面部と、前記前面部の両端縁から後方側に延設されてこめかみを覆う側面部と、前記側面部の下端から延設されあご下を覆う下面部とを備え、前記前面部と前記側面部と前記下面部とが一体的に形成されたフルフェースマスクであり、少なくとも前記前面部は透明性を有する樹脂材料で形成されるとともに、前記フルフェースマスクの下部にはフィルターで覆う開口部を形成したことを特徴とする。
【０００６】
請求項２の発明は、請求項１記載の発明において、前記側面部の上部には、眼鏡のつるを覆うつる覆い部が後方に延設されていることを特徴とする。
【０００７】
請求項３の発明は、請求項２記載の発明において、前記覆い部にはマスクのひもを係止する係止部が形成されていることを特徴とする。
【０００８】
請求項４の発明は、請求項１乃至請求項３のいずれか１項に記載の発明において、前記前面部の額に当接される額当接部は凹状に形成されていることを特徴とする。
【０００９】
請求項５の発明は、請求項１乃至請求項４のいずれか１項に記載の発明において、前記フルフェースマスクの端縁には柔軟部を設けたことを特徴とする。
【発明の効果】
【００１０】
本発明のフルフェースマスクは、顔表面を覆うとともに上側の端縁が額に当接される前面部と、前記前面部の両端縁から後方側に延設されてこめかみを覆う側面部と、前記側面部の下端から延設されあご下を覆う下面部とを備え、前記前面部と前記側面部と前記下面部とが一体的に形成されたフルフェースマスクであり、少なくとも前記前面部は透明性を有する薄肉の樹脂材料で形成されるとともに、前記フルフェースマスクの下部にはフィルターで覆う開口部を形成したことを特徴とするものであるから、顔の形状に合わせて変形され、目と口と鼻とを一度にカバーすることができるとともに、装着時は暑苦しく無いとともに息苦しく無く、装着時に髪の毛が乱れないという効果があり、更に、眼鏡の併用も可能であり、更に、顔全体を見せることもできるので、他人に安心感を与えることができるという効果があり、更に、花粉、ウイルスなどの菌類、粉塵、悪臭、冷気、皮膚の乾燥などから保護することができるという効果があり、普通のマスクとしての使用の他、自転車などの防寒用としても使用できるものである。
【００１１】
請求項２の発明によれば、フルフェースマスクと眼鏡のつるとの間に生じる隙間から空気が出入りするのを防止することができるので、機密性という効果がある。
請求項３の発明によれば、長時間フルフェースマスクをしていても、耳に負担がかからず、耳が痛くなるということを防止できるという効果がある。
請求項４の発明によれば、フルフェースマスクと額との間に生じる隙間から空気が出入りするのを防止することができるので、フィット感覚向上という効果がある。
請求項５の発明によれば、フルフェースマスクの材料である薄肉の樹脂材料が直接肌に接することが無く、肌に刺激を与えることが無いので肌荒れを防止するという効果がある。
【図面の簡単な説明】
【００１２】
【図１】図１は本発明のフルフェースマスクの第１実施例の正面図。
【図２】図２は本発明のフルフェースマスクの第１実施例の側面図。
【図３】図３は本発明のフルフェースマスクの第１実施例の平面図。
【図４】図４は本発明のフルフェースマスクの第１実施例の底面図。
【図５】図５は本発明のフルフェースマスクの第１実施例の使用状態を示す正面図。
【図６】図６は本発明のフルフェースマスクの第１実施例の使用状態を示す側面図。
【図７】図７は本発明のフルフェースマスクの第１実施例の正面図。
【図８】図８は本発明のフルフェースマスクの第１実施例の側面図。
【図９】図９は本発明のフルフェースマスクの第２実施例の使用状態を示す正面図。
【図１０】図１０は本発明のフルフェースマスクの第２実施例の使用状態を示す側面図。
【図１１】図１１は本発明のフルフェースマスクの第３実施例の正面図。
【図１２】図１２は本発明のフルフェースマスクの第３実施例の側面図。
【図１３】図１３は本発明のフルフェースマスクの第３実施例の底面図。
【発明を実施するための形態】
【００１３】
以下、本発明の実施の形態について、図１乃至図６に基づいて、第１実施例の説明をする。フルフェースマスク１は、顔表面を覆うとともに上側の端縁２ｃが額に当接される前面部２と、前記前面部２の両端縁から後方側に延設されてこめかみを覆う側面部３と、前記側面部３の下端から延設されあご下を覆う下面部４とを備え、前記前面部２と前記側面部３と前記下面部４とが一体的に形成されたフルフェースマスクであり、少なくとも前記前面部２は透明性を有する樹脂材料で形成されるとともに、前記フルフェースマスク１の下部には用途に応じて選択したフィルター５で覆う開口部６を形成している。
【００１４】
フルフェースマスク１は、ポリエチレンテレフタラート樹脂、ポリカーボネート樹脂などの透明性を有する薄肉（０.３ミリメートル〜１.２ミリメートル）の樹脂材料で一体的に形成されている。フルフェースマスク１は、肌が綺麗に見えるピンク色、視界がはっきり見える黄色、男性用にスモッグ色、一般に無色透明のものが良いが、側面部３と前記下面部４は、透明でないもので構成しても構わないものである。また、大人用と子供用で大きさを変えたり、子供用に動物を模した形状にしたり、一部着色しても構わないものである。
【００１５】
前面部２の表面板７の上部２ａは、縦断面が直線状に形成され、前面部２の下部２ｂには用途に応じて選択した市販のマスクを実施例とするフィルター５が装着される開口部６が形成されている。
【００１６】
前面部２の表面板７の上部２ａには前面部２の一部である天板８が延設されており、天板８は、表面板７の上部２ａの端縁２ｃから離れるに従って高くなるように、３０度程度の傾斜角で上り傾斜して形成されている。天板８の端縁は、額に当接される凹状に湾曲した額当接部９になっている。
【００１７】
前面部２の上部２ａは、天板８との境界線１０よりも下方に行くに従って突出するよう８０度程度の傾斜角で下り傾斜して形成されている。開口部６の上方は下方に行くに従って引っ込むよう８０度程度の傾斜角で下り傾斜して形成されており、口・鼻から出された息（排気）をフルフェース内部で拡散せずスムーズに外部へ排出となるようにしている。前面部２の表面板７の幅は、目じりの幅、眼鏡の幅などを考慮して決定される。
【００１８】
前面部２は、顔の輪郭に合わせて天板８との境界線１０の方が開口部６の上端の幅よりも長く形成されており、前面部２は、フルフェースマスク１がコンパクトに見えるようにと共に視界を広く取るようしている。
【００１９】
側面部３は、前面部２の表面板７及び前面部２の天板８から延設されており、表面板７の上部２ａの方が表面板７の下部２ｂよりも幅が広くなるように傾斜角が緩く形成されている。
【００２０】
側面部３の上部には、眼鏡のつるを覆うつる覆い部１１が後方に延設されており、覆い部１１にはマスクのひも１２を係止する係止部１３が形成されている。係止部１３は、覆い部１１の外側に形成されたものでも、覆い部１１の内側に形成されたものでも構わないものであり、覆い部１１の内側に形成された場合は、マスクのひも１２をフルフェースマスク１の内側に導入するための開口部を開けることで実施できるものである。眼鏡併用用には、つる覆い部１１があるのが望ましいが、眼鏡併用用で無い場合は、つる覆い部１１は決して必要としないものであり、その場合は、側面部３の上部にマスクのひも１２を係止する係止部１３を形成すれば良いものである。
【００２１】
下面部４は、側面部３の下端に顎にフィットするように、円弧状に形成されているが、円弧状に限定されるものではない。
【００２２】
フィルター５は、市販されているマスクを実施例としているが、ガーゼを重ねたものを用いても構わないものであり、最小メッシュ３０マイクロミニのものを着脱自在に取り付けられるようにすれば良い。
【００２３】
開口部６は、前面部２の表面板７と下面部４とにかけて形成されており、側面から見た場合、前面部２の表面板７から後方側に離れるに従がって、端縁６ａが上り傾斜させるとともに、側面部３との境界線付近で表面板７から後方側に離れるに従がって、端縁６ｂを下り傾斜させ、マスクで均一に覆うように形成されている。
【００２４】
開口部６の大きさは、口を開けた大きさにしているが、大きく息をしてもマスクが膨張することで吸収されるので、開口部６は、上記実施例に限定されるものでなく、息苦しくならない程度に複数個の開口部を形成したものでも構わないものである。
【００２５】
フルフェースマスク１の端縁は、連続して形成されているものであり、天板８と側面部３とは面取り部１４を介して連続されるとともに、側面部３、下面部４、額当接部９、つる覆い部１１には柔軟部１５を設け、皮膚が密着するようにガーゼ、スポンジ、不織布など通気性があり、皮膚の刺激の少ない柔軟な素材でできた柔軟部１５が全長にわたって設けられており、高密着性を保っている。
【００２６】
次に、図７乃至図１０に基づいて、第２実施例の説明をする。フルフェースマスク１は、顔表面を覆うとともに上側の端縁２ａが額に当接される２前面部と、前記前面部２の両端縁から後方側に延設されてこめかみを覆う側面部３と、前記側面部３の下端から延設されあご下を覆う下面部４とを備え、前記前面部２と前記側面部３と前記下面部４とが一体的に形成されたフルフェースマスクであり、少なくとも前記前面部２は透明性を有する樹脂材料で形成されるとともに、前記フルフェースマスク１の下部にはフィルター５で覆う開口部６を形成している。
【００２７】
フルフェースマスク１は、ポリエチレンテレフタラート樹脂、ポリカーボネート樹脂などの透明性を有する薄肉（０.３ミリメートル〜１.２ミリメートル）の樹脂材料で一体的に形成されている。フルフェースマスク１は、肌が綺麗に見えるピンク色、視界がはっきり見える黄色、男性用にスモッグ色、一般に無色透明のものが良いが、側面部３と前記下面部４は、透明でないもので構成しても構わないものである。また、大人用と子供用で大きさを変えたり、子供用に動物を模した形状にしたり、一部着色しても構わないものである。
【００２８】
前面部２は、皿状に形成されており、前面部２の表面板７は、縦断面が直線状に形成されている。前面部２の表面板７の上部２ａには前面部２の一部である天板８が延設されており、天板８は、表面板７の上部２ａの端縁２ｃから離れるに従って高くなるように、４５度程度の傾斜角で上り傾斜して形成されている。天板８の端縁は、額に当接される凹状に湾曲した額当接部９になっている。
【００２９】
前面部２の表面板７は、天板８との境界線１０よりも前面部２の下部２ｃの方が突出するよう８０度程度の傾斜角で下り傾斜して形成されている。前面部２は、顔の輪郭に合わせて天板８との境界線１０の方が前面部２の下部２ｃよりも長く形成されている。前面部２の表面板７は、フルフェースマスク１がコンパクトに見えるようになるべく小面積にしている。
【００３０】
前面部２の底板２ｄは、表面板７から延設されており、表面板７から延設され表面板７から離れるに従って低くなるように３０度程度の傾斜角で下り傾斜して形成された第１の傾斜部２ｅと、第１の傾斜部２ｅから延設され表面板７から離れるに従って高くなるように１５度程度の傾斜角で上り傾斜して形成された第２の傾斜部２ｆとで構成されている。
【００３１】
前面部２の側板２ｇは、表面板７から延設されており、表面板７から延設され表面板７から離れるに従って幅が広くなるように１５度程度の傾斜角で傾斜して形成されている。
【００３２】
側面部３は、前面部２の表面板７及び前面部２の天板８から延設されており、表面板７の上部２ａの方が表面板７の下部２ｃよりも幅が広くなるように傾斜角が緩く形成されている。
【００３３】
下面部４は、第２の傾斜部２ｆから第２の傾斜部２ｆと同一の傾斜角で延設されている。
【００３４】
前面部２は、表面板７を境界線１０より前面部２の下部２ｃの方が突出するよう８０度程度の傾斜角で下り傾斜して形成させるとともに、底板２ｄを表面板７側が低くなるよう１５度程度の傾斜角で下り傾斜して形成された第２の傾斜部２ｆと、第２の傾斜部２ｆの先端から延設され表面板７側が高くなるよう３０度程度の傾斜角で上り傾斜して形成された第１の傾斜部２ｅとで膨大部２０が構成されており、鼻息の通り道を形成するとともに、口で呼吸した呼気を下面部３に形成された開口部６からスムーズに排出するようにして鼻と口での呼吸を容易にするとともに、息苦しさを防止している。
【００３５】
側面部３は、前面部２の側板２ｇの両端から延設されており、顔の輪郭に合わせて耳の少し下の箇所４ａで下面部４の幅を狭くするよう急傾斜に形成されている。
【００３６】
フィルター５は、市販されているマスクを実施例としているが、ガーゼを重ねたものを用いても構わないものであり、最小メッシュ３０マイクロミニのものが着脱自在に取り付けられている。
【００３７】
開口部６は下面部３に大きく形成されているが、上記実施例に限定されるものでなく、息苦しくならない程度に複数個の開口部６を形成したものでも構わないものである。
【００３８】
側面部４には、フルフェースマスク１を装着するために、耳にかけるバンド２１がそれぞれ設けられている。
【００３９】
フルフェースマスク１は、全体を透明のものにしても構わないが、下面部３と、側面部４は、遮光性の効果を有するよう着色またはフィルムを積層しても構わないものである。フルフェースマスク１は、肌が綺麗に見えるピンク色、視界がはっきり見える黄色、男性用にスモッグ色、一般に無色透明のものが良いが、側面部３と前記下面部４は、透明でないもので構成しても構わないものである。また、大人用と子供用で大きさを変えたり、子供用に動物を模した形状にしたり、一部着色しても構わないものである。
【００４０】
フルフェースマスク１の端縁は、連続して形成されているものであり、天板８と側面部３とは面取り部１４を介して連続されるとともに、側面部３、下面部４、額当接部９、つる覆い部１１には柔軟部１５を設け、皮膚が密着するようにガーゼ、スポンジ、不織布など通気性があり、皮膚の刺激の少ない柔軟な素材でできた柔軟部１５が全長にわたって設けられており、高密着性を保っている。
【００４１】
次に、図１１乃至図１３に基づいて、第３実施例の説明をする。フルフェースマスク１は、顔表面を覆うとともに上側の端縁２ａが額に当接される前面部２と、前記前面部２の両端縁から後方側に延設されてこめかみを覆う側面部３と、前記側面部３の下端から延設されあご下を覆う下面部４とを備え、前記前面部２と前記側面部３と前記下面部４とが一体的に形成されたフルフェースマスクであり、少なくとも前記前面部２は透明性を有する樹脂材料で形成されるとともに、前記フルフェースマスク１の下部にはフィルター５で覆う開口部６を形成している。
【００４２】
フルフェースマスク１は、ポリエチレンテレフタラート樹脂、ポリカーボネート樹脂などの透明性を有する薄肉（０.３ミリメートル〜１.２ミリメートル）の樹脂材料で一体的に形成されている。フルフェースマスク１は、肌が綺麗に見えるピンク色、視界がはっきり見える黄色、男性用にスモッグ色、一般に無色透明のものが良いが、側面部３と前記下面部４は、透明でないもので構成しても構わないものである。また、大人用と子供用で大きさを変えたり、子供用に動物を模した形状にしたり、一部着色しても構わないものである。
【００４３】
前面部２は、皿状に形成されており、前面部２の表面板７は、縦断面が直線状に形成されている。前面部２の表面板７の上部２ａには前面部２の一部である天板８が延設されており、天板８の端縁は、額に当接される凹状に湾曲した額当接部９になっている。
【００４４】
前面部２の表面板７は、天板８との境界線１０よりも前面部２の下部２ｃの方が突出するよう８０度程度の傾斜角で下り傾斜して形成されている。前面部２は、顔の輪郭に合わせて天板８との境界線１０の方が前面部２の下部２ｃよりも長く形成されている。前面部２の表面板７は、フルフェースマスク１がコンパクトに見えるように円弧部２ｈで連結されている。
【００４５】
前面部２の側板２ｇは、表面板７から延設されており、表面板７から延設され表面板７から離れるに従って幅が広くなるように１５度程度の傾斜角で傾斜して形成されている。
【００４６】
側面部３は、前面部２の表面板７及び前面部２の天板８から延設されており、表面板７の上部２ａの方が表面板７の下部２ｃよりも幅が広くなるように傾斜角が緩く形成されている。
【００４７】
下面部４は、両端側が下り傾斜した第１の傾斜部４ａと、第１の傾斜部４ａに連接され中央側が上り傾斜した第２の傾斜部４ｂとで構成されている。
【００４８】
フィルター５は、市販されているマスクを実施例としているが、ガーゼを重ねたものを用いても構わないものであり、最小メッシュ３０マイクロミニのものが着脱自在に取り付けられている。
【００４９】
開口部６は下面部３に大きく形成されているが、上記実施例に限定されるものでなく、息苦しくならない程度に複数個の開口部６を形成したものでも構わないものである。
【００５０】
側面部４には、フルフェースマスク１を装着するために、耳にかけるバンド２１がそれぞれ設けられている。
【００５１】
フルフェースマスク１は、全体を透明のものにしても構わないが、下面部３と、側面部４は、遮光性の効果を有するよう着色またはフィルムを積層しても構わないものである。フルフェースマスク１は、肌が綺麗に見えるピンク色、視界がはっきり見える黄色、男性用にスモッグ色、一般に無色透明のものが良いが、側面部３と前記下面部４は、透明でないもので構成しても構わないものである。また、大人用と子供用で大きさを変えたり、子供用に動物を模した形状にしたり、一部着色しても構わないものである。
【００５２】
フルフェースマスク１の端縁は、連続して形成されているものであり、側面部３、下面部４、額当接部９には柔軟部１５を設け、皮膚が密着するようにガーゼ、スポンジ、不織布など通気性があり、皮膚の刺激の少ない柔軟な素材でできた柔軟部１５が全長にわたって設けられており、高密着性を保っている。
【符号の説明】
【００５３】
１  フルフェースマスク
２  前面部
２ａ  上側の端縁
２ｂ  表面板の下部
２ｃ  前面部の下部
２ｄ  前面部２の底板
２ｅ  傾斜部
２ｆ  第２の傾斜部
２ｇ  前面部の側板
３  下面部
４  側面部
４ａ  耳の少し下の箇所
４ｂ  第２の傾斜部
５  フィルター
６  開口部
６ａ  表面板と下面部の端縁
６ｂ  表面板から後方側の端縁
７  表面板
８  天板
９  額当接部
１０  境界線
１１  つる覆い部
１２  マスクのひも
１３  係止部
１４  面取り部
１５  柔軟部
【図１】
2013169346.tif 000003
【図２】
2013169346.tif 000004
【図３】
2013169346.tif 000005
【図４】
2013169346.tif 000006
【図５】
2013169346.tif 000007
【図６】
2013169346.tif 000008
【図７】
2013169346.tif 000009
【図８】
2013169346.tif 000010
【図９】
2013169346.tif 000011
【図１０】
2013169346.tif 000012
【図１１】
2013169346.tif 000013
【図１２】
2013169346.tif 000014
【図１３】
2013169346.tif 000015